(57)【要約】      （修正有）【課題】頭部の取り替えが容易なセラミック材柄付き歯ブラシを提供する。【解決手段】柄はセラミック材で作られ、且つ、柄と頭部の一端には、いずれも連結端が設けられ、柄と頭部を結合する。【選択図】図３
0003170283.tif 000002
【実用新案登録請求の範囲】
【請求項１】
セラミック材柄付き歯ブラシであって、
セラミック材で作られ、表面に釉薬が塗られて焼成されてなり、一端に連結端が設けられた柄と、
一端に連結端が設けられた頭部と、
を有しており、
柄はセラミック材で作られたことにより、耐磨耗性と汚染防止の機能を有しており、且つ、柄と頭部の一端にそれぞれ連結端が設けられており、頭部と柄を組み合わせるか分離するかにより、頭部の取替えには便利となることを特徴とするセラミック材柄付き歯ブラシ。
【請求項２】
前記柄の連結端は凸体形状となり、前記頭部の連結端は凹槽形状となり、柄の連結端を頭部の連結端に嵌め込むことにより、両者を結合することができることを特徴とする請求項１に記載のセラミック材柄付き歯ブラシ。
【請求項３】
前記柄の連結端は凹槽形状となり、前記頭部の連結端は凸体形状となり、頭部の連結端を柄の連結端に嵌め込むことにより、両者を結合することができることを特徴とする請求項１に記載のセラミック材柄付き歯ブラシ。
【請求項４】
セラミック材柄付き歯ブラシであって、
セラミック材で作られ、表面にナノ釉薬が塗られて焼成されてなり、一端に連結端が設けられた柄と、
一端に連結端が設けられた頭部と、
一端には位置決め端が設けられており、他の端には接合端が設けられた連結部と、
を有しており、
柄はセラミック材で作られたことにより、耐磨耗性と汚染防止の機能を有しており、且つ、柄の連結端を連結部の接合端に挿入し、連結部の位置決め端を頭部の連結端に挿入したことにより、頭部の取替えには便利となることを特徴とするセラミック材柄付き歯ブラシ。
【考案の詳細な説明】
【技術分野】
【０００１】
本考案が属する技術は、セラミック材柄付き歯ブラシを提供することに関する。特に、柄はセラミック材で作られた歯ブラシ構造であり、セラミック柄の表面に釉薬を塗ったことにより、耐磨耗性、汚染防止及び洗浄しやすい特性を達成するセラミック材柄付き歯ブラシを提供する。
【背景技術】
【０００２】
図１に示すように、図１は一般よく汎用されている歯ブラシ１であり、要は、プラスチック材で作られた柄１１と、その一端に設けられたスフトゲル(soft gel)１２と、中央のところに設けられた滑り止め部１３と、他の端に設けられた刷毛部１４とを有し、使用者が手で滑り止め部１３を把持し、指でスフトゲル１２に当ることにより、刷毛部１４を制御し歯を磨く。柄１１とスフトゲル１２と滑り止め部１３はいずれもプラスチック材で作られたので、材質は柔らかく、表面の毛穴は大きく、磨耗しやすいなどの欠点があるので、とても手の垢を柄１１、スフトゲル１２および滑り止め部１３、ならびに当該三者の間のシームに残留しやすい。長時間で使用すれば、かなりの垢が累積されることになる。また、通常歯ブラシ１は環境の非常に湿った浴室内に置かれるので、細菌が歯ブラシ１で繁殖する機会を増やして衛生に不利である。さらには、歯ブラシ１は一体形成したデザインとなり、それを取替える時、歯ブラシ１全体を捨てなければならないので、購買コストを費やすだけでなく、環境の汚染にもなる。
【考案の概要】
【考案が解決しようとする課題】
【０００３】
本考案は、上述の問題を改善するセラミック材柄付き歯ブラシを提供することを目的とする。
【課題を解決するための手段】
【０００４】
本考案の主な技術手段は、柄はセラミック材で作られたので、耐磨耗性と汚染防止の効果を達成することができ、且つ、柄と頭部の一端にはいずれも連結端が設けられたので、柄と頭部を結合すことができるとともに、頭部の取替えには容易であるセラミック材柄付き歯ブラシを提供する。
【０００５】
本考案の他の技術手段は、柄と頭部の間に金属材で製作された連結部が設けられ、当該連結部により柄と頭部を連結するとともに、頭部の取替えには容易であるセラミック材柄付き歯ブラシを提供する。
【考案の効果】
【０００６】
本考案によれば、柄はセラミック材で作られたので、耐磨耗性と汚染防止の効果を達成することができ、且つ、柄と頭部の一端にはいずれも連結端が設けられたので、柄と頭部を結合すことができるとともに、頭部の取替えには容易である。
【図面の簡単な説明】
【０００７】
【図１】従来の歯ブラシの外観斜視図である。
【図２】本考案の歯ブラシの外観斜視図である。
【図３】本考案の歯ブラシの分解斜視図である。
【図４】本考案の歯ブラシの断面図である。
【図５】本考案の歯ブラシの他の実施例を示す図である。
【図６】本考案の歯ブラシのさらに他の実施例を示す図(一)である。
【図７】本考案の歯ブラシのさらに他の実施例を示す図(二)である。
【図８】本考案の歯ブラシのさらに他の実施例を示す図(三)である。
【考案を実施するための形態】
【０００８】
まず、図２、図３及び図４を参照しながら本考案を説明する。図２、図３及び図４は本考案の外観斜視図、分解斜視図及び断面図である。図面からわかるように、歯ブラシ２は、セラミック材で作られ、一端には連結端３１が設けられ、表面にナノ(nano)釉薬が塗られて焼成されてなった柄３と、一端には連結端４１が設けられた頭部４とを有し、柄３全体は要はセラミック材であり、表面にナノ釉薬が塗られて焼成されてなったものであり、その一端には凸体形状の連結端３１が設けられ、頭部４の一端には凹槽形状の連結端４１が設けられ、柄３の連結端３１を頭部４の連結端４１に嵌込ませることにより、頭部４を柄３の一端に安定に結合させることができる。使用者が手で柄３を把持して頭部４を制御することにより、歯を清潔することができる。
【０００９】
本考案の歯ブラシ２は、柄３全体がセラミック材で作られ、且つ、表面にナノ釉薬が塗られたので、表面は耐磨耗性と汚染防止の機能を有する。このために、使用者が長時間の使用をしても、柄３には垢が累積しにくく洗いやすいだけでなく、使用寿命の増加も可能である。さらには、柄３の連結端３１と頭部４の連結端４１により、頭部４はある期間使用され、衛生のためか、あるいは使用にたえない場合、刷毛を取り替えなければならない時、単に頭部４を柄３から外しただけで、新しい頭部４を交換して使用し続けることができる。使用されてから全体は捨てられる従来の歯ブラシに比べると、本考案の歯ブラシ２は、使用者の歯ブラシの購買コストを低減するとともに、環境汚染防止の効果も達成できる。
【００１０】
図５を参照しながら本考案を説明する。図５は、本考案の歯ブラシの他の実施例を示す図であり、図面からわかるように、歯ブラシ２の構造は上記の構造を有する以外、図５に示すように、柄３の連結端３１は凹槽形状となり、頭部４の連結端４１は凸体形状となり、頭部４の連結端４１を柄３の連結端３１に嵌め込むことにより、頭部４を柄３の一端に安定に結合させることができる。
【００１１】
図６、図７及び図８を参照しながら本考案を説明する。図６、図７及び図８は本考案の歯ブラシのさらに他の実施例を示す図である。図面からわかるように、歯ブラシ２は、セラミック材で作られ、一端には連結端３１が設けられ、表面にナノ釉薬が塗られて焼成されてなった柄３と、一端には連結端４１が設けられた頭部４と、金属材で作られ、一端に位置決め端５１が設けられ、他の端に接合端５２が設けられた連結部５とを有し、柄３全体は要はセラミック材からなり、表面にナノ釉薬が塗られて焼成されてなったものであり、その一端には凸体形状の連結端３１が設けられ、頭部４の一端には連結端４１が設けられ、柄３の連結端３１を頭部４の連結部５の接合端５２に嵌込ませ、連結部５の位置決め端５１を頭部４の連結端４１に嵌め込ませたことにより、頭部４を柄３の一端に安定に結合させることができる。使用者が手で柄３を把持して頭部４を制御することにより、歯を磨くことができる。
【００１２】
本実施例では、要は、柄３と頭部４は連結部５により結合されることになる。柄３の材質と頭部４の材質は硬度の差異が大きすぎ、互いの結合は非常に安定することができない可能性があるので、硬度は柄３と頭部４の間で金属で作られた連結部５を選択したので、柄３と頭部４をもっと丈夫に結合させることができる。さらには、連結部５は金属材で作られてなったものなので、使用寿命を延ばすとともに変形しにくくなり、歯ブラシ２の使用期間中、頭部４は外力の影響を受け容易に落ちることが起こらない。また、頭部４の取替えは必要である場合、単に頭部４を連結部５から外しただけで、新たな頭部４を取替え使用し続けることができる。
【符号の説明】
【００１３】
１  歯ブラシ
１１  柄
１２  ソフトゲル
１３  滑り止め部
１４  刷毛部
２  歯ブラシ
３  柄
３１  連結端
４  頭部
４１  連結端
５  連結部
５１  位置決め端
５２  接合端
【図１】
0003170283.tif 000003
【図２】
0003170283.tif 000004
【図３】
0003170283.tif 000005
【図４】
0003170283.tif 000006
【図５】
0003170283.tif 000007
【図６】
0003170283.tif 000008
【図７】
0003170283.tif 000009
【図８】
0003170283.tif 000010